(57)【要約】【課題】  マスカラ液が塗布部分に付着、固化することなく、また、マスカラ液をこぼしてしまう等の危険性のない、使い勝手の良いマスカラ塗布具を提供すること。【解決手段】  マスカラ液収納部を内蔵する軸部、当該軸部から伸長し、軸に対し垂直に伸びる複数の櫛歯と、当該櫛歯の間に設けられ、かつマスカラ収納部と導管により連通された複数の吐出口を有する塗布部、当該吐出口を閉止可能で、外側方向に付勢されているブラシ押さえ部とを含むマスカラ塗布具。【選択図】  図１
2006280523.tif 000002
【特許請求の範囲】
【請求項１】
マスカラ液収納部を内蔵する軸部、当該軸部から伸長し、軸に対し垂直に伸びる複数の櫛歯と、当該櫛歯の間に設けられ、かつマスカラ収納部と導管により連通された複数の吐出口を有する塗布部、当該吐出口を閉止可能で、外側方向に付勢されているブラシ押さえ部とを含むマスカラ塗布具。
【請求項２】
前記マスカラ液収納部から前記複数の吐出部へのマスカラ液の送出が、前記軸に設けられた回転機構による繰り出しで押し出されることにより行われるものである請求項１記載のマスカラ塗布具。
【請求項３】
前記櫛歯が、前記塗布部の長手方向の左右両端に２列で設けられた細い棒状物であり、前記吐出口が塗布部の長手方向中央部に設けられている請求項第１項または第２項記載のマスカラ塗布具。
【請求項４】
櫛歯は、前記塗布部の横手方向に設けられた板状物であり、前記吐出口が前記板状物の間に設けられている請求項第１項または第２項記載のマスカラ塗布具。
【請求項５】
ブラシ押さえが軸部に取り付けられたものである請求項第１項ないし第４項の何れかの項記載のマスカラ塗布具。
【発明の詳細な説明】
【技術分野】
【０００１】
本発明は、マスカラ塗布具に関し、更に詳細には、使い勝手がよく、睫にマスカラ液をきれいに塗ることができ、また、塗布部においてマスカラ液が乾燥・固化することがなく、マスカラ液を内蔵するため、携帯に便利なマスカラ塗布具に関する。
【背景技術】
【０００２】
睫は、顔面でも特に目立つ部位であり、最近では、マスカラを使用し、睫をより太く、長く見せることがよく行われている。このマスカラは、容器中に充填したマスカラ液を、容器のブラシ押さえに取り付けたマスカラブラシで塗布することが一般的であるが、マスカラブラシだけでは、うまく睫上にマスカラ液を塗布できないことがあった。
【０００３】
そこで、近年、マスカラブラシあるいはマスカラコームに、睫押さえ用の部材を取り付け、マスカラ液をうまく睫に塗布でき、かつ睫のカールができるようなマスカラ塗布具が開発されている（特許文献１〜３）。
【０００４】
しかしながら、上記したマスカラ塗布具も、結局はマスカラ容器中のマスカラ液を付着させて使用するものであり、マスカラブラシ上や睫押さえ用部材上に残存するマスカラ液が付着し、これが乾燥、固化することにより使用勝手が悪くなるという問題があった。
【０００５】
また、実際の使用でも、マスカラ液が入っている容器のブラシ押さえを開けた状態でマスカラを塗布することは、場合によってはマスカラ液をこぼしてしまうこともあり、より使い勝手の良いマスカラ塗布具の開発が求められている。
【０００６】
【特許文献１】実開昭６２−３０７１４号
【特許文献２】ＵＳＰ ５,００７,４４２
【特許文献３】特許第３２１０９１０号
【発明の開示】
【発明が解決しようとする課題】
【０００７】
従って、マスカラ液が塗布部分に付着、固化することなく、また、マスカラ液をこぼしてしまう等の危険性のない、使い勝手の良いマスカラ塗布具の開発が求められており、本発明はこのようなマスカラ塗布具の提供をその課題とするものである。
【課題を解決するための手段】
【０００８】
本発明者らは、上記課題を解決すべく鋭意検討を行った結果、まず、マスカラ塗布具中にマスカラ液収納部分を設ければ、容器のブラシ押さえを開けてマスカラブラシを取り出す等の動作が不要であることに気づいた。そして、塗布部分に複数の吐出口を設け、ここに内蔵したマスカラ収納液部分からマスカラ液を送り出せば、必要部分にのみマスカラ液が供給されることになり使い勝手がよいことを見いだし、本発明を完成した。
【０００９】
すなわち本発明は、マスカラ液収納部を内蔵する軸部、当該軸部から伸長し、軸に対し垂直に伸びる複数の櫛歯と、当該櫛歯の間に設けられ、かつマスカラ収納部と導管により連通された複数の吐出口を有する塗布部、当該吐出口を閉止可能で、軸体に設けられ、かつ外側方向に付勢されているブラシ押さえ部とを含むマスカラ塗布具である。
【００１０】
また本発明は、櫛歯が、前記塗布部の長手方向の左右両端に２列で設けられた細い棒状物であり、前記吐出口が塗布部の長手方向中央部に設けられている上記マスカラ塗布具である。
【００１１】
更に本発明は、櫛歯が、前記塗布部の横手方向に設けられた板状物であり、前記吐出口が前記板状物の間に設けられている前記マスカラ塗布具である。
【発明の効果】
【００１２】
本発明のマスカラ塗布具は、吐出口が複数存在し、それぞれに対応した櫛歯があるので、マスカラ液を均一に塗布することができる。また、マスカラ塗布時には、ブラシ押さえ部が睫押さえ用部材としても利用できるので、きれいに塗布することができ、同時に睫にカールを与えることが可能である。
【００１３】
また、本発明のマスカラ塗布具では、ビンの蓋を開けるということがないので、マスカラ液をこぼしてしまう等の危険性はなく、また使用後は、ブラシ押さえにより各吐出口を閉止するので、マスカラ液が塗布部分に付着、固化せず、使い勝手の良いものである。
【発明を実施するための最良の形態】
【００１４】
以下、いくつかの図面と共に、本発明のマスカラ塗布具について、更に詳しく説明する。
【００１５】
図１は、本発明マスカラ塗布具の好ましい一態様の、ブラシ押さえを開けた状態を示す斜視図、図２は、上記態様のブラシ押さえを閉めた状態を示す斜視図、図３は、上記態様のキャップを閉めた状態を示す斜視図である。図中、１はマスカラ塗布具、２は軸部、３は塗布部、４は櫛歯、５は吐出口、６はブラシ押さえ部、７はブラシ押さえ取り付け部、８は回転部、９は切り欠き部、１０はキャップをそれぞれ示す。
【００１６】
図１に示す態様のマスカラ塗布具１は、回転部８が設けられた軸部２と、これから伸長する塗布部３および軸部２に取り付けられたブラシ押さえ部６より構成される。このうち、軸部は、内部にマスカラ液収納部（図示せず）を内蔵し、マスカラ液は回転部８の回転を受けた、ネジ構造等も有する通常の繰り出し機構（図示せず）により、軸部２の中を通り、吐出口５に連通する導管を通って塗布部３に押し出される。
【００１７】
塗布部３は、図４にその断面を示すように、前記した導管１１がその中心を通り、長手方向の左右両端には、細い棒状物の櫛歯４が２列で設けられ、更にその長手方向中央部に吐出口５設けられている。この塗布部３およびこれに設けられた櫛歯４の材料としては、耐油性、対薬品性および耐久性に優れたものであれば、特に制約なく使用することができ、例えば、ポリエチレン（ＰＥ）、ポリプロピレン（ＰＰ）等のポリオレフィン、ナイロン等のポリアミド、ポリエチレンテレフタレート（ＰＥＴ）、ポリブチレンテレフタレート等のポリエステル、ポリオキシメチレン（ＰＯＭ）、ポリカーボネート等の樹脂を使用することができる。このうち、ポリプロピレン、ポリオキシメチレンおよびペルプレンの名称で市販されているポリエステル系熱可塑性エラストマー（表面硬度５５〜７０（ＡＳＴＭ  Ｄ２２４０））が好ましい。
【００１８】
軸部２に、ブラシ押さえ取り付け部７で取り付けられたブラシ押さえ部６は、その切り欠き部９付近を押さえることにより、図２に示すように、ブラシ押さえ部６が下がり、これにより塗布部３の上に設けられた吐出口５が閉じられるようになっている。そして、ブラシ押さえ部６は、下記のような弾性のある材料で構成されているので、ブラシ押さえ部６の切り欠き部付近９を放すことにより、図１に示すように吐出口５が開き、マスカラ液を吐出することが可能になる。なお、本発明のマスカラ塗布具１は、キャップ１０によりその塗布部３およびブラシ押さえ部６を閉止することができる。このブラシ押さえ部６を構成する材料としては、ある程度の弾力のある材料であれば、特に制約はないが、ポリプロピレン、ポリオキシメチレン、アルミ等の金属およびこれらの組み合わせが好ましい。また、これらに静電植毛処理を施しても良い。
【００１９】
図４は、図２のＡ−Ａ'断面図である。図中、１１は導管を示し、他は前出と同じである。この図から明らかなように、塗布部３の中央に導管１１が通っており、軸部２の中に内蔵されたマスカラ液収納部から押し出されたマスカラ液は、この部分を通り、吐出口５から塗布部３の表面に吐出される。そして、吐出されたマスカラ液は、吐出口５に隣接して設けられた櫛歯４により睫毛に塗布される。
【００２０】
本発明のマスカラ塗布具１では、塗布部３およびブラシ押さえ部６の組み合わせは、上記態様に限られず、その使いやすさに応じて種々変更することができる。図５に、上記態様と異なる塗布部３およびブラシ押さえ部６の組み合わせ例のいくつかを示す。図中、１２は孔閉止突起を示し、他は前出と同じである。図５のＡは、塗布部３の断面が楕円であり、ブラシ押さえ部６の断面もこれに対応した楕円の一部で構成され、塗布部３の吐出口５に対応した位置に、小円柱状の孔閉止突起１２を有するものである。また、図５のＢは、塗布部３の断面が円であり、ブラシ押さえ部６の断面もこれに対応した円の一部で構成され、塗布部３の吐出口５に対応した位置に半球型の孔閉止突起１２を有するものである。更に、図５のＣは、塗布部３の断面が四角であり、ブラシ押さえ部６の断面もこれに対応した形状で構成されたものである。上記の孔閉止突起１２は、ブラシ押さえ部６と同じ材料であって良いが、ＮＢＲ等のゴムやエラストマーを用いても良い。
【００２１】
図６は、気密性を高めた本発明のマスカラ塗布具１の形態を示す図面である。この図においては、キャップ１０を透視して内部が見えるように描いている。図３で示す態様のマスカラ塗布具では、切り欠き部９があるため、気密を得ることができなかったが、本態様では、ブラシ押さえ取り付け部７までキャップを被せることを可能としたため、塗布部３等への空気の流通を防ぐことが可能となり、塗布部３上等でマスカラ液が乾燥、固化することを防ぐことが可能となる。
【００２２】
このような、気密性を保つための構造例を、キャップ１０のみ断面とした図７に示す。図７Ａは、軸部２にテーパーを付け、密着部１３を設けたものであり、この密着部１３により空気の流入を防ぐものである。また、図７Ｂは、軸部２上にゴムやシリコンゴム製等のＯ−リング１４を設け、このＯ−リング１４とキャップ１０により気密を保つ構造のものである。
【００２３】
なお、以上説明した態様では、マスカラ液は軸部２に設けられた回転部８を回転することにより、導管１１を経て吐出口５に押し出される機構になっているが、これに限られるものでないことはいうまでもない。例えば、回転により押し出す機構に変えて、微動送り出し法やノック式押し出し法を採用しても良い。
【００２４】
次に、本発明の別の態様のマスカラ塗布具１を図８および図９に示す。図８Ａは塗布部３の縦断面図であり、図８Ｂはその平面図である。また、図９Ａは、ブラシ押さえ部６の縦断面図であり、図９Ｂはその底面図である。
【００２５】
この態様では、櫛歯４は、塗布部３の横手方向（塗布部の軸方向に対し、直角方向）に設けられた板状物であり、吐出口５は、各櫛歯４の間に設けられている。そして、ブラシ押さえ部６には、この櫛歯４とかみ合う形の板状物である孔閉止突起１２が設けられており、これにより吐出口５を塞ぐことが可能となる。この態様においても、マスカラ液収納部から押し出されたマスカラ液が、導管１１を通り、吐出口５から塗布部３の表面に吐出され、吐出されたマスカラ液は、吐出口５に隣接して設けられた櫛歯４により睫に塗布され、これをカールすることができることは、前に説明した態様と同一である。
【産業上の利用可能性】
【００２６】
本発明のマスカラ塗布具は、従来のものと異なり、マスカラ液が直接塗布部３に吐出するものであるから、必要量だけを吐出させ、睫毛に塗布させることができるので、無駄がなく経済的なものである。また、塗布部３の吐出口５を押さえるためのブラシ押さえ部６があるため、導管や、マスカラ液収納部のマスカラ液が乾燥固化することなく長期間使用することができる。
【００２７】
更に、前記ブラシ押さえ部６と、塗布部３とで睫毛を押さえながらマスカラ液を塗布することにより、睫毛をきれいに仕上げることができる。特に、櫛歯４と孔閉止突起１２が、共に塗布部３およびブラシ押さえ部６の横手方向に設けられた板状物である場合は、簡単にマスカラ液を睫毛に均一に塗布し、睫をカールさせることが可能となる。
【図面の簡単な説明】
【００２８】
【図１】本発明マスカラ塗布具の一態様（ブラシ押さえを開けた状態）を示す斜視図。
【図２】本発明マスカラ塗布具の一態様（ブラシ押さえを閉じた状態）を示す斜視図。
【図３】本発明マスカラ塗布具の一態様（キャップを閉めた状態）を示す斜視図。
【図４】図２のＡ−Ａ'断面図
【図５】塗布部およびブラシ押さえ部の組み合わせ例を示す断面図。
【図６】気密を高めた本発明のマスカラ塗布具の形態を示す斜視図。
【図７】本発明のマスカラ塗布具において、気密を保つための構造例を示す図面。
【図８】別の態様のマスカラ塗布具の塗布部を示す図面。
【図９】別の態様のマスカラ塗布具のブラシ押さえ部を示す図面。
【符号の説明】
【００２９】
１ … … マスカラ塗布具
２ … … 軸部
３ … … 塗布部
４ … … 櫛歯
５ … … 吐出口
６ … … ブラシ押さえ部
７ … … ブラシ押さえ取り付け部
８ … … 回転部
９ … … 切り欠き部
１０ … … キャップ
１１ … … 導管
１２ … … 孔閉止突起
１３ … … 密着部
１４ … … Ｏ−リング
【図１】
2006280523.tif 000003
【図２】
2006280523.tif 000004
【図３】
2006280523.tif 000005
【図４】
2006280523.tif 000006
【図５】
2006280523.tif 000007
【図６】
2006280523.tif 000008
【図７】
2006280523.tif 000009
【図８】
2006280523.tif 000010
【図９】
2006280523.tif 000011